(57)【特許請求の範囲】
【請求項１】
一対の肩掛けベルト及び一対の腿掛けベルトを備えており、
この肩掛けベルトが湾曲部を備えており、
この湾曲部がベルト本体の長手方向における湾曲形状を保持しており、
この湾曲部がワイヤー芯及びカバーを備えており、
この肩掛けベルトのベルト本体にカバーが縫い付けられており、
このワイヤー芯が、肩掛けベルトの長手方向に沿って配置されており、カバーにより保持されており、
この肩掛けベルトの裏側が作業者の肩に面する面であり、この裏側が湾曲した凹側表面にされているハーネス型安全帯。
【請求項２】
上記ワイヤー芯の長手方向の位置が定められている請求項１に記載のハーネス型安全帯。
【請求項３】
上記湾曲部の湾曲の曲率半径が前後方向で異なっており、
胸部に沿う前方部分の曲率半径が、胸部の後方上方の肩に沿う部分の曲率半径より大きくされている請求項２に記載のハーネス型安全帯。
【発明の詳細な説明】
【技術分野】
【０００１】
本発明は、高所作業等の落下防止に使用されるハーネス型安全帯及びハーネス型安全帯に用いられる形状保持具に関する。
【背景技術】
【０００２】
高所作業現場においては、作業者は落下事故を防止するため安全帯を着用している。この安全帯として、胴ベルト型安全帯及びハーネス型安全帯が知られている。胴ベルト型安全帯は、胴回りに装着される安全帯である。胴ベルト型安全帯の着脱は、簡素な構造により容易である。この胴ベルト型安全帯では、胴回りに局部的に落下の衝撃が加わる。
【０００３】
ハーネス型安全帯は、一対の肩掛けベルト及び一対の腿掛けベルトを備えている。ハーネス型安全帯では、身体の複数の箇所に落下の衝撃が分散される。ハーネス型安全帯は、胴ベルト型安全帯に比べ一箇所に加わる衝撃が小さい。ハーネス型安全帯は、身体に加わる局部的な衝撃が小さい。ハーネス型安全帯は、安全性に優れている。
【０００４】
このハーネス型安全帯は、胴ベルト型安全帯に比べて構造が複雑である。ハーネス型安全帯は、丸められた状態で保管されていることが多い。ハーネス型安全帯の各ベルトは、絡まり捻れやすい。丸められた状態のハーネス型安全帯は、上下方向、前後方向及び裏表が判別し難い。ハーネス型安全帯は、着用時に上下方向、前後方向及び裏表を確認して装着される。ハーネス型安全帯の各ベルトの絡まり及び捻れは、着用時に直される。ハーネス型安全帯の装着には手間がかかる。
【０００５】
ベストが一体にされたハーネス型安全帯が、実用新案登録第３０６９２９５号公報に記載されている。このハーネス型安全帯は、ベストを一体にしているので肩掛けベルトの判別が容易である。このハーネス型安全帯は、上下方向及び前後方向の判別が容易である。このハーネス型安全帯は、装着の容易性に優れている。
【先行技術文献】
【特許文献】
【０００６】
【特許文献１】実用新案登録第３０６９２９５号公報
【発明の概要】
【発明が解決しようとする課題】
【０００７】
このハーネス型安全帯は、ベストの裏表が逆になり得る。このハーネス型安全帯では、裏表を確認する必要がある。このハーネス型安全帯は、装着の容易性に改善の余地がある。このハーネス型安全帯はベストを備えているので、暑い日には作業者は暑苦しく感じる。ベストが外されたハーネス型安全帯は、各部位の判別、上下方向、前後方向及び裏表の確認に時間を要する。このハーネス型安全帯は、暑い日の装着感に改善の余地がある。
【０００８】
本発明の目的は、着用し易いハーネス型安全帯及びその形状保持具の提供にある。
【課題を解決するための手段】
【０００９】
本発明に係るハーネス型安全帯は、一対の肩掛けベルト及び一対の腿掛けベルトを備えている。この肩掛けベルトは、湾曲部を備えている。この湾曲部は、ベルト本体の長手方向における湾曲形状を保持している。
【００１０】
本発明に係るハーネス型安全帯は、一対の肩掛けベルト及び一対の腿掛けベルトを備えている。この腿掛けベルトは、湾曲部を備えている。この湾曲部は、ベルト本体の長手方向における湾曲形状を保持している。
【００１１】
好ましくは、肩掛けベルト又は腿掛けベルトに備えられた湾曲部は、形板及び着脱部を備えている。この形板は、長手方向における湾曲形状を保持している。この形板は、着脱部によりベルト本体に着脱可能にされている。
【００１２】
本発明に係る形状保持具は、形板及び着脱部を備えている。この形板は、長手方向における湾曲形状を保持している。この形板は、着脱部によりハーネス型安全帯のベルト本体に着脱可能にされている。
【発明の効果】
【００１３】
本発明に係るハーネス型安全帯では、湾曲部として特定される部位が一目で判別される。このハーネス型安全帯は、無造作に置かれた状態でも湾曲部は一目で判別される。この湾曲部の位置及び湾曲向きにより上下方向、前後方向及び裏表が容易に判別される。このハーネス型安全帯は素早く装着される。本発明に係る形状保持具が従来のハーネス型安全帯に取り付けられることにより、本発明に係るハーネス型安全帯と同様に上下方向、前後方向及び裏表が容易に判別される。
【図面の簡単な説明】
【００１４】
【図１】図１は、本発明の一実施形態に係るハーネス型安全帯が示された正面図である。
【図２】図２は、図１のハーネス型安全帯の肩掛けベルトの断面斜視図である。
【図３】図３は、図２の肩掛けベルトに取り付けられたワイヤー芯の外観図である。
【図４】図４は、図１のハーネス型安全帯の使用状態が示された背面図である。
【図５】図５は、図１のハーネス型安全帯の使用状態が示された側面図である。
【図６】図６は、本発明の他の実施形態に係るハーネス型安全帯の肩掛けベルトの断面斜視図である。
【図７】図７は、本発明の更に他の実施形態に係るハーネス型安全帯の肩掛けベルトの断面斜視図である。
【発明を実施するための形態】
【００１５】
以下、適宜図面が参照されつつ、好ましい実施形態に基づいて本発明が詳細に説明される。
【００１６】
図１は、本発明の一実施形態に係るハーネス型安全帯２が示された正面図である。このハーネス型安全帯２は、一対の主ベルト４ａ、４ｂ、尻当てベルト６、Ｄ環止め８、連結ベルト１０、胸ベルト１２、一対のバックル１６、一対の調節スライド１８及び面ファスナー２０を備えている。
【００１７】
第一の主ベルト４ａは、上端２２ａから下端２４ａまで延在している。第一の主ベルト４ａは、ハーネス型安全帯２の上方で斜め下方に向かって折り返されている。斜め下方に向かって折り返された第一の主ベルト４ａは、ハーネス型安全帯２の中央上方で、第二の主ベルト４ｂと交差している。交差した主ベルト４ａは、上端２２ａに至るまで斜め下方に延在している。第一の主ベルト４ａは、上端２２ａの近傍で第二の主ベルト４ｂと交差して縫合されている。この縫合により、図１の第一縫合部２６ａが形成されている。
【００１８】
第二の主ベルト４ｂは、上端２２ｂから下端２４ｂまで延在している。第二の主ベルト４ｂは、ハーネス型安全帯２の上方で斜め下方に向かって折り返されている。斜め下方に向かって折り返された第二の主ベルト４ｂは、ハーネス型安全帯２の中央上方で、第一の主ベルト４ａと交差している。交差した主ベルト４ｂは、上端２２ｂに至るまで斜め下方に延在している。第二の主ベルト４ｂは、上端２２ｂの近傍で第一の主ベルト４ａと交差して縫合されている。この縫合により、図１の第二縫合部２６ｂが形成されている。
【００１９】
尻当てベルト６は、ハーネス型安全帯２の上下方向中央近傍で左右方向に延在している。尻当てベルト６の一端は、主ベルト４ａと重ねられて縫合されている。この縫合により、第三縫合部２８ａが形成されている。尻当てベルト６の他端は、主ベルト４ｂと重ねられて縫合されている。この縫合により、第四縫合部２８ｂが形成されている。
【００２０】
Ｄ環止め８には、後で述べるＤ環２９（図５参照）が回動可能に取り付けられている。Ｄ環止め８は、ハーネス型安全帯２の中央上方で主ベルト４が互いに交差している位置に取り付けられている。Ｄ環止め８には、一対の主ベルト４が互いに交差して通されている。このハーネス型安全帯２では、第一縫合部２６ａ、第二縫合部２６ｂ、第三縫合部２８ａ、第四縫合部２８ｂ及びＤ環止め８を頂点とする五角形の空間が形成されている。
【００２１】
連結ベルト１０は、ベルト本体３０及び環３１を備えている。環３１は、連結ベルト１０のベルト本体３０の上方端に取り付けられている。ベルト本体３０の下方端は、後で述べるＤ環２９に取り付けられている。連結ベルト１０は、Ｄ環２９を介してＤ環止め８に連結されている。
【００２２】
胸ベルト１２は、第一ベルト３２、第二ベルト３４、バックル３６及び調節スライド３８を備えている。バックル３６は、ソケット４０及びソケット４０に着脱可能なタングプレート４２を備えている。タングプレート４２は、第一ベルト３２の一端に取り付けられている。第一ベルト３２の他端は第一の主ベルト４ａに取り付けられている。第一ベルト３２の他端は、第二縫合部２６ｂと主ベルト４ａの上方の折り返しとの間の位置で主ベルト４ａに取り付けられている。この第一ベルト３２は、その両端の間に調節スライド３８が備えられている。この調節スライド３８により、第一ベルト３２の折り返し長さが調節される。調節スライド３８は、胸ベルト１２の長さを調節する。
【００２３】
ソケット４０は、第二ベルト３４の一端に取り付けられている。第二ベルト３４の他端は、第二の主ベルト４ｂに取り付けられている。第二ベルト３４の他端は、第一縫合部２６ａと主ベルト４ｂの上方の折り返しとの間の位置で主ベルト４ｂに取り付けられている。
【００２４】
バックル１６は、環４４及びタングプレート４５を備えている。主ベルト４の上端２２には、環４４が取り付けられている。主ベルト４の下端２４には、タングプレート４５が取り付けられている。第一の主ベルト４ａの環４４と第二の主ベルト４ｂのタングプレート４５とは、一方のバックル１６を構成している。第二の主ベルト４ｂの環４４と第一の主ベルト４ａのタングプレート４５とは、他方のバックル１６を構成している。
【００２５】
調節スライド１８は、主ベルト４の下方端２４の近傍に取り付けられている。この調節スライド１８により、主ベルト４の折り返し長さが調節される。この調節スライド１８は、主ベルト４の長さを調節する。
【００２６】
面ファスナー２０は、フックテープ４６及びループテープ４７を備えている。この連結ベルト１０には、フックテープ４６が縫い付けられている。主ベルト４の上方の折り返えしには、ループテープ４７が縫い付けられている。この連結ベルト１０は、この面ファスナー２０により主ベルト４に重さねられた状態で固定可能とされている。
【００２７】
主ベルト４には、一対の肩掛けベルト４８及び一対の腿掛けベルト５０が形成されている。一方の肩掛けベルト４８は、Ｄ環止め８から第二縫合部２６ｂまでの主ベルト４ａに形成されている。他方の肩掛けベルト４８は、Ｄ環止め８から第一縫合部２６ａまでの主ベルト４ｂに形成されている。一方の腿掛けベルト５０は、第三縫合部２８ａから下端２４ａまでの主ベルト４ａに形成されている。他方の腿掛けベルト５０は、第四縫合部２８ｂから下端２４ｂまでの主ベルト４ｂに形成されている。このハーネス型安全帯２では、連結ベルト１０は、面ファスナー２０により肩掛けベルト４８と着脱可能とされている。
【００２８】
図２は、図１のハーネス型安全帯２の肩掛けベルト４８の断面斜視図である。この断面は、肩掛けベルト４８の長手方向に垂直な面である。肩掛けベルト４８は、湾曲部５２を備えている。湾曲部５２は、ワイヤー芯５４及びカバー５６を備えている。この肩掛けベルト４８の長手方向に沿って、２本のワイヤー芯５４が並列に配置されている。カバー５６が主ベルト４に縫い付けられている。このカバー５６により、ワイヤー芯５４は、主ベルト４の長手方向に沿って保持されている。図示されていないが、このカバー５６の長手方向の両端は、主ベルト４に縫い付けられている。これにより、ワイヤー芯５４の長手方向位置が定まっている。
【００２９】
図３は、図２の肩掛けベルト４８に取り付けられたワイヤー芯５４の外観図である。このワイヤー芯５４は、ワイヤー５７及びキャップ５８を備えている。このワイヤー５７の長手方向に垂直な断面は、一様な長方形である。ワイヤー５７は、長手方向に湾曲している。これにより、湾曲部５２は、ベルトの長手方向における湾曲形状を保持している。
【００３０】
ワイヤー５７の材料としては、ばね鋼（ＳＵＰ）、硬鋼線材（ＳＷＲＨ）、ピアノ線材（ＳＷＲＳ）及び形状記憶合金が挙げられる。このワイヤー５７の材料は、樹脂であってよい。具体的には、ポリアミド、ポリカーボネート及びアクリロニトリル−ブタジエン−スチレン樹脂が挙げられる。ワイヤー５７の材料は、これらに限られない。ワイヤー５７の材料は、外力に対し変形し、外力が除かれれば元の湾曲形状に復元される弾性を備えていればよい。キャップ５８は、ワイヤー５７の両端に取り付けられている。このキャップ５８は、両端エッジによるカバー５６、主ベルト４及び人体の損傷を防止する。
【００３１】
図１のハーネス型安全帯２の装着方法が説明される。ハーネス型安全帯２は、丸められた状態や無造作に置かれた状態から着用される。このハーネス型安全帯２では、肩掛けベルト４８は、湾曲部５２を備えている。このハーネス型安全帯２では、肩掛けベルト４８が湾曲している。この湾曲形状により、ハーネス型安全帯２の肩掛けベルト４８の判別が容易である。この湾曲形状により、肩掛けベルト４８の前後方向及び上下方向の判別が容易である。この湾曲形状により、肩掛けベルト４８の裏表の判別が容易である。
【００３２】
作業者は、湾曲した肩掛けベルト４８を掴んで持ち上げる。腿掛けベルト５０や胸ベルト１２は、絡まったり、捻れたりしていることがある。このハーネス型安全帯２では、第一縫合部２６ａ、第二縫合部２６ｂ、第三縫合部２８ａ、第四縫合部２８ｂ及びＤ環止め８を頂点とする五角形の空間に腿掛けベルト５０や胸ベルト１２が入り込んでいることがある。作業者は、肩掛けベルト４８を掴んだ状態で、腿掛けベルト５０や胸ベルト１２の絡まり及び捻れを直す。このハーネス型安全帯２の前後方向、上下方向及び裏表が容易に判別されるので、絡まり及び捻れも容易に直すことができる。
【００３３】
作業者は、予め肩掛けベルト４８を持っている。作業者は、肩掛けベルト４８に腕を通す。これにより、肩掛けベルト４８に腕を通すときに、作業者はハーネス型安全帯２を持ち直す必要がない。肩掛けベルト４８が作業者の肩に掛けられる。腿掛けベルト５０が後方から股の間を通される。第一の主ベルト４ａのタングプレート４５は、第二の主ベルト４ｂの環４４に連結される。第二の主ベルト４ｂのタングプレート４５は、第一の主ベルト４ａの環４４に連結される。調節スライド１８により、主ベルト４の長さが調節される。胸バンド１２のソケット４０とタングプレート４２とが連結される。調節スライド３８により、胸バンド１２の長さが調節される。
【００３４】
図４は、図１のハーネス型安全帯２の使用状態が示された背面図である。この図４は、作業者の後方から見られた図である。図５は、図１のハーネス型安全帯２の使用状態が示された側面図である。この図５は、作業者の左側面から見られた図である。図５では、作業者の身体は省略されている。この連結ベルト１０の下方端には、Ｄ環２９が取り付けられている。このＤ環２９には、一対の主ベルト４が通されている。
【００３５】
図５に示すように、このハーネス型安全帯２の湾曲部５２は、作業者の肩に当てられている。この湾曲部５２のワイヤー５７は弾性変形可能な材料である。主ベルト４及び胸ベルト１２が締められることにより、湾曲部５２を備えた肩掛けベルト４８は、作業者の肩に沿う。これにより、このハーネス型安全帯２は、作業者の身体にフィットする。
【００３６】
湾曲部５２の湾曲の曲率半径を前後方向で変えても良い。ハーネス型安全帯２の胸部に沿う前方の曲率半径が肩に沿う上方の曲率半径より大きくされてもよい。これにより、ハーネス型安全帯２の前後方向がより判別しやすい。これにより、作業者の身体に沿いやすい。
【００３７】
この肩掛けベルト４８は、湾曲形状が保持されているので捻れない。肩掛けベルト４８の湾曲した凸側表面が、表側である。肩掛けベルト４８の湾曲した凹側表面が、裏側である。このハーネス型安全帯２は、一目で裏表が判別できる。この肩掛けベルト４８は、型崩れが抑制されている。
【００３８】
保管時には、連結ベルト１０は、面ファスナー２０により肩掛けベルト４８に固定されている。これにより、保管時にも連結ベルト１０が捩れたり絡まったりすることが抑制されている。このハーネス型安全帯２が装着された状態で、連結ベルト１０が肩掛けベルト４８から離される。環３１が、図示しない命綱に連結される。命綱及びハーネス型安全帯２により、作業者が高所から落下して負傷することが抑制される。
【００３９】
このハーネス型安全帯２では、連結ベルト１０が捩れたり絡まったりすることが抑制されているので、連結ベルト１０の使用も迅速にできる。この連結ベルト１０は、面ファスナー２０により着脱可能に固定されている。確実に固定され容易に着脱できれば他の固定手段であっても良い。例えば、衣服に用いられている、凹型と凸型の組み合わせの留め具であるスナップであってもよい。
【００４０】
このハーネス型安全帯２では、ベストを備えなくても装着が容易にされている。このハーネス型安全帯２は、暑い日も快適に装着される。
【００４１】
このハーネス型安全帯２では、ワイヤー芯５４はカバー５６により主ベルト４に取り付けられている。ワイヤー芯５４はベルトの長手方向に沿って取り付けられればよく、取付手段はこのハーネス型安全帯２の手段に限られない。例えば、主ベルト４の縦糸の一部が抜き取られ、主ベルト４の内部に長手方向に連続する空間が形成される。この空間にワイヤー芯５４が通されてもよい。
【００４２】
ここでは、肩掛けベルト４８に湾曲部５２が備えられたハーネス型安全帯２について、説明がされた。この湾曲部５２は、腿掛けベルト５０に備えられてもよい。腿掛けベルト５０が湾曲部５２を備えたハーネス型安全帯２では、第一縫合部２６ａ、第二縫合部２６ｂ、第三縫合部２８ａ、第四縫合部２８ｂ及びＤ環止め８を頂点とする五角形の空間に腿掛けベルト５０が入り込むことが抑制される。このハーネス型安全帯２では、腿掛けベルト５０が絡まったり捻れたりすることが抑制される。ここでは、一対の肩掛けベルト４８が湾曲部５２を備えたハーネス型安全帯２について、説明がされた。一対の肩掛けベルト４８及び一対の腿掛けベルト５０のいずれか一箇所が湾曲部５２を備えてもよい。
【００４３】
図６は、本発明の他の実施形態に係るハーネス型安全帯６２の肩掛けベルト６４の断面斜視図である。ここでは、図１のハーネス型安全帯２と異なる部分について説明がされる。ハーネス型安全帯６２とハーネス型安全帯２とで同じ構成については、その説明が省略される。この肩掛けベルト６４は、ベルト本体６６と湾曲部としてのコーティング６８を備えている。このコーティング６８が、ベルト本体６６にコーティングされている。このコーティング６８がベルトの長手方向に湾曲している。肩掛けベルト６４は、ベルトの長手方向に湾曲させられている。
【００４４】
これにより、ハーネス型安全帯６２の肩掛けベルト６４の判別が容易である。このハーネス型安全帯６２の前後方向、上下方向及び裏表が容易に判別できる。このコーティング６８は、外力に対し変形し、外力が除かれれば元の湾曲形状に復元される弾性を備えていればよい。このコーティング６８の材料としては、樹脂が挙げられる。例えば、ポリアミド、ポリカーボネート及びアクリロニトリル−ブタジエン−スチレン樹脂が挙げられる。
【００４５】
図７は、本発明の更に他の実施形態に係るハーネス型安全帯７２の肩掛けベルト７４の断面斜視図である。この肩掛けベルト７４は、ベルト本体７６及び湾曲部としての形状保持具７８を備えている。この形状保持具７８は、形板８０及び一対の着脱部８２を備えている。形板８０は、弾性体であり長尺の板状である。形板８０は、長手方向に湾曲している。この形板８０の材料としては、ばね鋼（ＳＵＰ）、硬鋼線（ＳＷ）、ピアノ線（ＳＷＰ）及び形状記憶合金が挙げられる。この形板８０の材料は、前述のハーネス型安全帯６２と同様に樹脂であってよい。形板８０の材料は、外力に対し変形し、外力が除かれれば元の湾曲形状に復元される弾性を備えていればよい。
【００４６】
着脱部８２は、形板８０の長手方向に伸びる一対の端に沿って取り付けられている。着脱部８２の一端は形板８０に取り付けられている。着脱部８２の他端には図示しない面ファスナーが取り付けられている。一方の着脱部８２の他端には、面ファスナーのループテープが取り付けられている。他方の着脱部８２の他端には、フックテープが取り付けられている。
【００４７】
形板８０は、肩掛けベルト７４のベルト本体７６に沿って配置されている。一対の着脱部８２及び形板８０により、ベルト本体７６が囲われている。一方の着脱部８２のループテープと他方の着脱部８２のフックテープとが接着される。これにより、形板８０は、ベルト本体７６に一体に固定されている。この形板８０は長手方向に湾曲している。これにより、肩掛けベルト７４が長手方向に湾曲させられる。また、この着脱部８２の面ファスナーを剥がすことで、形状保持具７８を外すことができる。この形状保持具７８は、面ファスナーにより再びハーネス型安全帯７２に取り付けることができる。この形状保持具７８は、他のハーネス型安全帯に取り付けることもできる。
【００４８】
この形状保持具７８は、従来から使用されているハーネス型安全帯に取付ることができる。この形状保持具７８は、ハーネス型安全帯の他の部位のベルトに取り付けることできる。この形状保持具７８を取り付けることで、本発明に係るハーネス型安全帯７２と同様に、前後方向、上下方向及び裏表が容易に判別できる。ハーネス型安全帯が迅速に装着される。
【産業上の利用可能性】
【００４９】
本発明は、ハーネス型安全帯に適用されうる。
【符号の説明】
【００５０】
２・・・ハーネス型安全帯
４、４ａ、４ｂ・・・主ベルト
６・・・尻当てベルト
８・・・Ｄ環止め
１０・・・連結ベルト
１２・・・胸ベルト
１６・・・バックル
１８・・・調節スライド
２０・・・面ファスナー
２２、２２ａ、２２ｂ・・・上端
２４、２４ａ、２４ｂ・・・下端
２６ａ、２６ｂ・・・縫合部
２８ａ、２８ｂ・・・縫合部
２９・・・Ｄ環
３０・・・ベルト本体
３１・・・環
３２・・・第一ベルト
３４・・・第二ベルト
３６・・・バックル
３８・・・調節スライド
４０・・・ソケット
４２・・・タングプレート
４４・・・環
４５・・・タングプレート
４６・・・フックテープ
４７・・・ループテープ
４８・・・肩掛けベルト
５０・・・腿掛けベルト
５２・・・湾曲部
５４・・・ワイヤー芯
５６・・・カバー
５７・・・ワイヤー
５８・・・キャップ
６２・・・ハーネス型安全帯
６４・・・肩掛けベルト
６６・・・ベルト本体
６８・・・コーティング
７２・・・ハーネス型安全帯
７４・・・肩掛けベルト
７６・・・ベルト本体
７８・・・形状保持具
８０・・・形板
８２・・・着脱部
【図１】
0005220932.tif 000002
【図２】
0005220932.tif 000003
【図３】
0005220932.tif 000004
【図４】
0005220932.tif 000005
【図５】
0005220932.tif 000006
【図６】
0005220932.tif 000007
【図７】
0005220932.tif 000008